(57)【要約】【課題】フローティングレッグギャザー（ＦＬＧ）の頭部がソフトに、かつ、均一に着用者の肌に密着し、また、排出された体液と着用者の肌との接触をより効果的に回避することができる吸収体物品の提供。【解決手段】シート状の防漏体と、防漏体の上部に少なくとも一層配置された、体液を吸収しうる吸収体とを有する吸収体物品本体と、吸収体物品本体の前後方向の前端部から前身頃、股下部及び後身頃を経て後端部にわたって配置される左右一対のＦＬＧとを具備する吸収体物品であって、ＦＬＧが、伸縮性を有する頭部と頭部に連なる垂下部とを有し、頭部が、前後方向に配置される２本以上の弾性糸と、クッション性を有する嵩高部材とを有して構成され、弾性糸と嵩高部材とが少なくとも一部が上下に重なるように配置されている伸縮体を有し、着用時に、ＦＬＧの頭部が着用者の肌に接触し、かつ、着用者の肌と前記吸収体とが離間した状態を保持する、吸収体物品。【選択図】図１
2015100615.tif 000002
【特許請求の範囲】
【請求項１】
シート状の防漏体と、前記防漏体の上部に少なくとも一層配置された、体液を吸収しうる吸収体とを有する吸収体物品本体と、
前記吸収体物品本体の前後方向の前端部から前身頃、股下部及び後身頃を経て後端部にわたって配置される左右一対のフローティングレッグギャザーと
を具備する吸収体物品であって、
前記フローティングレッグギャザーが、伸縮性を有する頭部と前記頭部に連なる垂下部とを有し、
前記頭部が、前後方向に配置される２本以上の弾性糸と、クッション性を有する嵩高部材とを有して構成され、前記弾性糸と前記嵩高部材とが少なくとも一部が上下に重なるように配置されている伸縮体を有し、
着用時に、前記フローティングレッグギャザーの前記頭部が着用者の肌に接触し、かつ、着用者の肌と前記吸収体とが離間した状態を保持する、吸収体物品。
【請求項２】
着用時でない弛緩状態におかれた場合に、前記頭部の少なくとも一部が４ｍｍ以上の厚さを有するように構成されている、請求項１に記載の吸収体物品。
【請求項３】
前記フローティングレッグギャザーの前端部及び後端部が、前記吸収体物品本体の前端部近傍及び後端部近傍にそれぞれ結合されて、前記垂下部が前記頭部から前記吸収体に向かって垂れ下がるように構成され、
前記左右一対のフローティングレッグギャザーが、いずれも前記頭部が外側に、前記垂下部が内側に向くように配置され、
前記左右一対のフローティングレッグギャザーの前記垂下部の少なくとも一部が下端部付近で相互に連結され、前記垂下部の内面側に、左右側面と、連結された左右方向の中央部付近が底面となる、体液受容キャナルが形成されており、
前記体液受容キャナルが、着用者から排出された体液を受容し、前後方向に移動させ、前記吸収体に移行させる、請求項１又は２に記載の吸収体物品。
【請求項４】
前記フローティングレッグギャザーの前端部及び後端部が、前記吸収体物品本体の前端部近傍及び後端部近傍にそれぞれ結合されて、前記垂下部が前記頭部から前記吸収体に向かって垂れ下がるように構成され、
前記左右一対のフローティングレッグギャザーの前記頭部が左右方向の中央部近傍で互いに対向するように配置され、
前記左右一対のフローティングレッグギャザーの前記垂下部の少なくとも一部が下端部付近で相互に連結され、前記垂下部の内面側に、左右側面と、連結された左右方向の中央部付近が底面となる、体液受容キャナルが形成されており、
前記体液受容キャナルが、着用者から排出された体液を受容し、前後方向に移動させ、前記吸収体に移行させる、請求項１又は２に記載の吸収体物品。
【請求項５】
前記左右一対のフローティングレッグギャザーの前記垂下部が、中央部に連結部のない左右に連続した一枚の不織布により構成され、
前記不織布が前記左右一対の頭部から前記吸収体に向かってハンモック状に垂れ下がって、その内面側に左右側面と、中央部付近が底面となる体液受容キャナルが形成されており、
前記体液受容キャナルが、着用者から排出された体液を受容し、前後方向に移動させ、前記吸収体に移行させる、請求項１又は２に記載の吸収体物品。
【請求項６】
前記弾性糸が、前身頃から股下部を経て後身頃にわたる範囲に存在し、かつ、前記嵩高部材が、股下部近傍に存在する、請求項１〜５のいずれかに記載の吸収体物品。
【請求項７】
前記嵩高部材が、前記弾性糸の上側を被覆するように配置されている、請求項６に記載の吸収体物品。
【請求項８】
前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の外側を被覆するように配置されている、請求項３〜５のいずれかに記載の吸収体物品。
【請求項９】
前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の一方の外側から底面の下側を経て他方の外側までを被覆するように配置されている、請求項３〜５のいずれかに記載の吸収体物品。
【請求項１０】
前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の内側を被覆するように配置されている、請求項３〜５のいずれかに記載の吸収体物品。
【請求項１１】
前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の一方の内側から底面の上側を経て他方の内側までを被覆するように配置されている、請求項３〜５のいずれかに記載の吸収体物品。
【請求項１２】
前記弾性糸が、前身頃から股下部を経て後身頃にわたる範囲に存在し、かつ、前記嵩高部材が、股下部近傍に存在し、
前記嵩高部材が、前記弾性糸の下側を被覆し、かつ、前記体液受容キャナルの左右側面の一方の内側から底面の上側を経て他方の内側までを被覆するように配置されている、請求項３〜５のいずれかに記載の吸収体物品。
【請求項１３】
前記体液受容キャナルの底面の下側の一部と前記吸収体の表面とが結合している請求項３〜５のいずれかに記載の吸収体物品。
【請求項１４】
前記嵩高部材が、発泡体である、請求項１〜１３のいずれかに記載の吸収体物品。
【請求項１５】
前記嵩高部材が、化学繊維製の不織布である、請求項１〜１３のいずれかに記載の吸収体物品。
【発明の詳細な説明】
【技術分野】
【０００１】
本発明は、吸収体物品に関する。
【背景技術】
【０００２】
吸収体物品は、おむつ（子供用及び大人用おむつ）、生理用ナプキン、失禁対策商品、トレーニングパンツ等の着用者から排出された体液を、高吸収性樹脂（以下「ＳＡＰ」ともいう。）やフラッフ状にした木材パルプ等を用いた吸収体により、吸収し、処理する物品である。
【０００３】
従来の吸収体物品においては、体液は、着用者の排出器から直接に吸収体の表面に排出され、吸収体の表面における拡散と吸収体の表面から内部への移行とにより、吸収体に吸収され、処理される。
したがって、吸収体物品からその外部への体液のリーク（漏れ）を防ぐためには、吸収体物品と着用者の身体との間に間隙が生じないように、吸収体の表面と着用者の肌、特に、排出器とを密着させることが必要であった。
しかしながら、このような状態で吸収体物品を使用すると、体液の排出後には、着用者の肌が体液で濡れている吸収体の表面に密着した状態となる。着用者の肌が体液に接触している状態が長時間続くと、着用者にとって不快であるだけでなく、皮膚を膨化させ、細菌増殖の原因となり、かぶれや炎症を引き起こす事態を招くことにもなるという問題点があった。
【０００４】
本発明者は、このような従来の吸収体物品の問題点を解決するための新しい提案として、吸収体、特に、着用者の排泄器に相当する位置であるクロッチ部（股下部）に体液を直接に移行させないように、吸収体の前後に体液の移動、分配を可能にするユニットを吸収体の表面と着用者の肌との間に新たに導入することにより、排出された体液と着用者の肌との接触を効果的に回避する手法を提案した。
特許文献１においては、前記ユニットは、フローティングレッグギャザー（以下「ＦＬＧ」ともいう。）として提案されている。特許文献２においては、前記ユニットは、体液の移動通路として提案されている。特許文献３においては、前記ユニットは、体液の受容キャナルとして提案されている。これらの提案に係るユニットは、いずれも、左右一対の頭部と左右一対の頭部に結合されて、垂下する垂下部とを持ち、左右一対の頭部のみが着用者の肌に接触する点で共通するものである。
【先行技術文献】
【特許文献】
【０００５】
【特許文献１】特許第５０８６４９２号公報
【特許文献２】特許第５２３６１２１号公報
【特許文献３】特許第５２３６１２２号公報
【発明の概要】
【発明が解決しようとする課題】
【０００６】
本発明者は、特許文献１〜３に記載された、各種のユニットを有する吸収体物品の研究を進めたところ、頭部を嵩高にし、かつ、クッション効果を奏するようにすることにより頭部がソフトに、かつ、均一に着用者の肌に密着することができ、かつ、排出された体液と着用者の肌との接触をより効果的に回避することができるのではないかと考えた。
【課題を解決するための手段】
【０００７】
本発明者は、ＦＬＧを有する吸収体物品において、ＦＬＧが、伸縮性を有する頭部と前記頭部に連なる垂下部とを有し、かつ、前記頭部が、前後方向に配置される２本以上の弾性糸と、クッション性を有する嵩高部材とを有して構成され、前記弾性糸と前記嵩高部材とが少なくとも一部が上下に重なるように配置されている伸縮体を有するようにすることにより、伸縮性及びクッション効果によって、頭部がソフトに、かつ、均一に着用者の肌に密着することができ、また、スペース効果によって、排出された体液と着用者の肌との接触をより効果的に回避することができることを見出し、本発明を完成させた。
【０００８】
すなわち、本発明は、以下の（１）〜（１５）を提供する。
（１）シート状の防漏体と、前記防漏体の上部に少なくとも一層配置された、体液を吸収しうる吸収体とを有する吸収体物品本体と、
前記吸収体物品本体の前後方向の前端部から前身頃、股下部及び後身頃を経て後端部にわたって配置される左右一対のフローティングレッグギャザーと
を具備する吸収体物品であって、
前記フローティングレッグギャザーが、伸縮性を有する頭部と前記頭部に連なる垂下部とを有し、
前記頭部が、前後方向に配置される２本以上の弾性糸と、クッション性を有する嵩高部材とを有して構成され、前記弾性糸と前記嵩高部材とが少なくとも一部が上下に重なるように配置されている伸縮体を有し、
着用時に、前記フローティングレッグギャザーの前記頭部が着用者の肌に接触し、かつ、着用者の肌と前記吸収体とが離間した状態を保持する、吸収体物品。
（２）着用時でない弛緩状態におかれた場合に、前記頭部の少なくとも一部が４ｍｍ以上の厚さを有するように構成されている、上記（１）に記載の吸収体物品。
（３）前記フローティングレッグギャザーの前端部及び後端部が、前記吸収体物品本体の前端部近傍及び後端部近傍にそれぞれ結合されて、前記垂下部が前記頭部から前記吸収体に向かって垂れ下がるように構成され、
前記左右一対のフローティングレッグギャザーが、いずれも前記頭部が外側に、前記垂下部が内側に向くように配置され、
前記左右一対のフローティングレッグギャザーの前記垂下部の少なくとも一部が下端部付近で相互に連結され、前記垂下部の内面側に、左右側面と、連結された左右方向の中央部付近が底面となる、体液受容キャナルが形成されており、
前記体液受容キャナルが、着用者から排出された体液を受容し、前後方向に移動させ、前記吸収体に移行させる、上記（１）又は（２）に記載の吸収体物品。
（４）前記フローティングレッグギャザーの前端部及び後端部が、前記吸収体物品本体の前端部近傍及び後端部近傍にそれぞれ結合されて、前記垂下部が前記頭部から前記吸収体に向かって垂れ下がるように構成され、
前記左右一対のフローティングレッグギャザーの前記頭部が左右方向の中央部近傍で互いに対向するように配置され、
前記左右一対のフローティングレッグギャザーの前記垂下部の少なくとも一部が下端部付近で相互に連結され、前記垂下部の内面側に、左右側面と、連結された左右方向の中央部付近が底面となる、体液受容キャナルが形成されており、
前記体液受容キャナルが、着用者から排出された体液を受容し、前後方向に移動させ、前記吸収体に移行させる、上記（１）又は（２）に記載の吸収体物品。
（５）前記左右一対のフローティングレッグギャザーの前記垂下部が、中央部に連結部のない左右に連続した一枚の不織布により構成され、
前記不織布が前記左右一対の頭部から前記吸収体に向かってハンモック状に垂れ下がって、その内面側に左右側面と、中央部付近が底面となる体液受容キャナルが形成されており、
前記体液受容キャナルが、着用者から排出された体液を受容し、前後方向に移動させ、前記吸収体に移行させる、上記（１）又は（２）に記載の吸収体物品。
（６）前記弾性糸が、前身頃から股下部を経て後身頃にわたる範囲に存在し、かつ、前記嵩高部材が、股下部近傍に存在する、上記（１）〜（５）のいずれかに記載の吸収体物品。
（７）前記嵩高部材が、前記弾性糸の上側を被覆するように配置されている、上記（６）に記載の吸収体物品。
（８）前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の外側を被覆するように配置されている、上記（３）〜（５）のいずれかに記載の吸収体物品。
（９）前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の一方の外側から底面の下側を経て他方の外側までを被覆するように配置されている、上記（３）〜（５）のいずれかに記載の吸収体物品。
（１０）前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の内側を被覆するように配置されている、上記（３）〜（５）のいずれかに記載の吸収体物品。
（１１）前記弾性糸が、前身頃から股下部を経て後身頃にわたる範囲に存在し、かつ、前記嵩高部材が、股下部近傍に存在し、
前記嵩高部材が、前記弾性糸の上側を被覆し、かつ、前記体液受容キャナルの左右側面の一方の内側から底面の上側を経て他方の内側までを被覆するように配置されている、上記（３）〜（５）のいずれかに記載の吸収体物品。
（１２）前記弾性糸が、前身頃から股下部を経て後身頃にわたる範囲に存在し、かつ、前記嵩高部材が、股下部近傍に存在し、
前記嵩高部材が、前記弾性糸の下側を被覆し、かつ、前記体液受容キャナルの左右側面の一方の内側から底面の上側を経て他方の内側までを被覆するように配置されている、上記（３）〜（５）のいずれかに記載の吸収体物品。
（１３）前記体液受容キャナルの底面の下側の一部と前記吸収体の表面とが結合している上記（３）〜（５）のいずれかに記載の吸収体物品。
（１４）前記嵩高部材が、発泡体である、上記（１）〜（１３）のいずれかに記載の吸収体物品。
（１５）前記嵩高部材が、化学繊維製の不織布である、上記（１）〜（１３）のいずれかに記載の吸収体物品。
【発明の効果】
【０００９】
本発明の吸収体物品は、ＦＬＧの頭部がソフトに、かつ、均一に着用者の肌に密着し、また、排出された体液と着用者の肌との接触をより効果的に回避することができる。
【図面の簡単な説明】
【００１０】
【図１】本発明の吸収体物品の実施態様の例を示す模式図である。
【図２】本発明の吸収体物品における頭部の模式的な横端面図である。
【図３】種々のＦＬＧを示す模式図である。
【図４】種々のＦＬＧを示す模式図である。
【図５】種々のＦＬＧを示す模式図である。
【図６】種々のＦＬＧを示す模式図である。
【図７】種々のＦＬＧを示す模式図である。
【図８】種々のＦＬＧを示す模式図である。
【図９】種々のＦＬＧを示す模式図である。
【図１０】種々のＦＬＧを示す模式図である。
【図１１】本発明の吸収体物品の実施態様の他の例を示す模式図である。
【符号の説明】
【００１１】
１０  防漏体
１２、１２ａ  吸収体
１３  サーフェスシート
１４、１４ａ、１４ｂ、１４ｃ、１４ｄ、１４ｅ、１４ｆ、１４ｇ、１４ｈ、１４ｉ  フローティングレッグギャザー（ＦＬＧ）
１６、１６ａ、１６ｂ、１６ｃ、１６ｄ、１６ｅ、１６ｆ、１６ｇ、１６ｈ  頭部
１８、１８ａ、１８ｂ、１８ｃ、１８ｄ、１８ｅ  垂下部
２０、２０ａ、２０ｂ  弾性糸
２１、２１ａ、２１ｂ、２１ｃ、２１ｄ、２１ｅ  基材
２２、２２ａ、２２ｂ、２２ｃ、２２ｄ、２２ｅ、２２ｆ、２２ｇ、２２ｈ  嵩高部材
２３、２３’、２３”  ホットメルト接着剤
２４、２４ａ、２４ｂ、２４ｃ、２４ｄ、２４ｅ、２４ｆ、２４ｇ、２４ｈ  伸縮体
２６  前端結合部
２８  後端結合部
３０、３０ａ、３０ｂ、３０ｃ  底面結合部
３１  垂下部固定部
３２  アウターレッグギャザー（ＯＬＧ）
３４  着脱部材
３６  連結シート
３８  接合部
１００、１０１  吸収体物品
Ｃ  股下部
Ｃａ  体液受容キャナル
Ｆ  前身頃
Ｒ  後身頃
【発明を実施するための形態】
【００１２】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してある。
また、本明細書においては、「吸収体物品本体」とは、吸収体物品の構成部材である防漏体、防漏体上に設けることができるトップシート、その他吸収体物品に設けることができる各種部材を総称していうものである。これに従い、吸収体物品がおむつである場合は、吸収体物品本体をおむつ本体と呼ぶ。
さらに、本明細書においては、「吸収体の表面」とは、吸収体が露出している場合は、その表面を意味し、吸収体が拡散シート、アクイジションシート、トップシート（サーフェスシート）、コアラップシート等で被覆されている場合は、被覆している拡散シート、アクイジションシート、トップシート（サーフェスシート）、コアラップシート等の表面を意味する。
【００１３】
図１は、本発明の吸収体物品の実施態様の例を示す模式図である。図１（Ａ）は、吸収体物品に応力を加えて前後方向及び左右方向に引っ張って展開し、ほぼ平面状にした状態（緊張状態）を模式的に示した展開平面図である。図１（Ｂ）は、吸収体物品に応力を加えない場合の（弛緩状態の）図１（Ａ）中のＩＢ−ＩＢ線に沿った横端面図である。
図１に示される本発明の吸収体物品１００は、テープ型オムツとして構成されており、基本的に、シート状の防漏体１０と、防漏体１０の上部に少なくとも一層配置された、体液を吸収しうる吸収体１２とを有する吸収体物品本体と、前記吸収体物品本体の前後方向の前端部から前身頃Ｆ、股下部Ｃ及び後見頃Ｒを経て、後端部にわたって配置される左右一対のＦＬＧ１４とを具備する吸収体物品であって、ＦＬＧ１４が、伸縮性を有する頭部１６と頭部１６に連なる垂下部１８とを有し、頭部１６が、前後方向に配置される２本以上の弾性糸２０と、クッション性を有する嵩高部材２２とを有して構成され、弾性糸２０と嵩高部材２２とが少なくとも一部が上下に重なるように配置されている伸縮体２４を有している。
【００１４】
防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、ＳＭＳ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、マイクロウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００１５】
防漏体１０は、複数の部材から構成されていてもよい。
【００１６】
防漏体１０は、シート状であり、吸収体１２等を上部に収納し、かつ、ＦＬＧ１４を配置し得るものであれば、その形状を特に限定されない。
【００１７】
本発明に用いられる吸収体１２は、体液を吸収しうるものであれば特に限定されず、従来公知の吸収体物品に用いられる吸収体を用いることができる。例えば、粉末状の木材パルプ、無加工のＳＡＰ等の粉体状吸収体、シート状吸収体を用いることができる。
【００１８】
シート状吸収体は、形態安定性、ＳＡＰの脱落防止等の可能性等に優れる。
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００１９】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ
Ｌａｉｄ法で得られる高吸水性シートが挙げられる。Ａｉｒ Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００２０】
吸収体１２は、防漏体１０の上部に、少なくとも１層配置される。すなわち、吸収体１２は、１層であってもよく、２層以上（複数層）であってもよい。
また、吸収体１２は、折りたたんだ状態で配置することもできる。
【００２１】
防漏体１０は、全面的に、サーフェスシート１３で被覆され、吸収体１２の上側もサーフェスシート１３で被覆されている。
【００２２】
左右一対のＦＬＧ１４は、吸収体１２の上部に、吸収体物品本体の前後方向の前端部から前身頃Ｆ、股下部Ｃ及び後身頃Ｒを経て後端部にわたって配置される。
ここで、「吸収体物品本体」とは、吸収体物品の部材である防漏体、防漏体上に設けることができるトップシート、サーフェスシート、その他吸収体物品に設けることができる各種部材を総称していうものである。ＦＬＧは、防漏体に結合して設けられてもよく、防漏体上に設けられたトップシートやその他の部材に結合して設けられてもよく、複数の部材にわたって結合して設けられてもよい。
【００２３】
ＦＬＧ１４は、伸縮性を有する頭部１６と頭部１６に連なる垂下部１８とを有している。
【００２４】
ＦＬＧ１４の前端部及び後端部は、吸収体物品本体の前端部近傍及び後端部近傍にそれぞれ結合されて（前端結合部２６及び後端結合部２８が図１中に示されている。）、垂下部１８が頭部１６から吸収体１２に向かって垂れ下がるように構成されている。結合の方法は、特に限定されず、例えば、接着剤により結合する方法が挙げられる。
【００２５】
頭部１６は、伸縮体２４を有している。
伸縮体２４を有する頭部１６は、着用時には、常時、ソフトに、かつ、均一に、着用者の肌に密着する機能を奏するとともに、着用者の肌と吸収体１２の表面との間に介在するように設けられ、離間状態を安定的に維持する機能も奏する。
【００２６】
伸縮体２４は、前後方向に配置される２本以上の弾性糸２０と、クッション性を有する嵩高部材２２とを有して構成されている。
伸縮体２４においては、弾性糸２０と嵩高部材２２とは少なくとも一部が上下に重なるように配置されている。より具体的には、弾性糸２０と嵩高部材２２とが重なる部分においては、嵩高部材２２が弾性糸２０の上側を被覆するように配置されている。本発明は、これに限定されず、嵩高部材が弾性糸の下側を被覆するように配置されていてもよい。また、嵩高部材が弾性糸の上側及び下側の両方を被覆するように配置されていてもよい。
このような構成を採ることにより、伸縮体２４は、上述した機能を奏することができる。弾性糸２０は、基本的に、伸縮体２４に伸縮性を付与し、嵩高部材２２は、基本的に、伸縮体２４にクッション性を付与する。
【００２７】
弾性糸２０は、特に限定されず、例えば、天然ゴム糸、合成ゴム糸、ポリウレタンフィラメント、弾性フィルムの細分化テープ等の糸状を呈する材料である。
弾性糸は、長さが、例えば、約１．２〜約３倍の範囲となるように応力を加えて伸長した状態にして、薄い不織布等の基材上に、２本以上、好ましくは３本〜１０本、並列に並べて接着剤等の接合剤で固定して用いることができる。応力を加えるのを止めると、収縮し、短くなる。
【００２８】
嵩高部材２２は、クッション性を有する材料であれば、特に限定されないが、発砲体、嵩高不織布が好適に挙げられる。
発泡体は、例えば、ＰＥ樹脂フォーム、ＰＰ樹脂フォーム、ＥＶＡフォーム、ポリウレタンフォーム、セルローススポンジが挙げられる。
嵩高不織布は、例えば、ＰＥ繊維、ＰＰ繊維、ＰＥＴ繊維、ＰＥ／ＰＰ複合繊維、ＰＥ／ＰＥＴ複合繊維等の合成繊維；アセテート繊維等の半合成繊維；レーヨン、リヨセル等の再生繊維その他の化学繊繊類を原料とする、化学繊維製の不織布（例えば、カードウェブ、スルーエアボンド不織布、スパンレース不織布、ニードルパンチ不織布）や分繊トウが挙げられる。嵩高不織布は、目付量が２０ｇ／ｍ2以上であるのが好ましく、また、無加重状態での見掛け比重が０．１以下であるのが好ましい。なお、見掛け比重は、単位面積当たりの質量を厚さで除して求めることができる。
【００２９】
嵩高部材２２は、無加重状態での厚さが、０．５ｍｍ以上であるのが好ましく、１ｍｍ以上であるのがより好ましい。これにより、嵩高部材２２と弾性糸２０とが重なる部分における頭部１６の厚さを確保することができる。
【００３０】
頭部における弾性糸と嵩高部材の配置は、前身頃Ｆから股下部Ｃを経て後身頃Ｒまでにわたって設けられる弾性糸の存在領域の全域に嵩高部材を重ねて設けることもでき、弾性糸の存在領域の一部（例えば、股下部Ｃ）のみに嵩高部材を重ねて設けることもできる。弾性糸と嵩高部材とを上下に重ねて組み合わせる際には、左右方向にずれて一部が重なる状態であってもよい。
弾性糸が、前身頃Ｆから股下部Ｃを経て後身頃Ｒにわたる範囲に存在し、かつ、嵩高部材が、股下部Ｃ近傍に存在するのは、本発明の好ましい態様の一つである。
【００３１】
頭部における弾性糸と嵩高部材が重なる部分は、応力を加えて伸長させた状態では平坦となり厚さが減少するが、応力を加えない弛緩状態では厚さが膨化する。
上述したように、不織布等の基材に接合・被覆された伸縮体は、弛緩状態では、収縮し、細かい山谷を持つ襞が発生し、厚さが更に膨化する。
【００３２】
弾性糸と嵩高部材とが重なる部分では、膨化状態における頭部の厚さが、２ｍｍ以上であるのが好ましく、４ｍｍ以上であるのがより好ましい。上記範囲であると、着用時の密着性及び着用者の肌と吸収体の表面との離間状態を安定的に維持する機能をより効果的に奏する。
また、弾性糸と嵩高部材とが重なる部分では、膨化状態における頭部の厚さが、１５ｍｍ以下であるのが好ましい。上記範囲であると、吸収体物品の厚さを薄くすることができる。
なお、従来の子供用おむつにおいては、防漏体と吸収体とサーフェスシートとの合計の厚さが約４ｍｍである。
【００３３】
頭部１６は、弾性糸２０を前後方向のほぼ全長にわたって配置し、嵩高部材２２を弾性糸２０の上面を被覆するように、股下部及びその近傍のみに重ねて配置したものである。
弾性糸２０としては、例えば、３本の６００ｄｔｅｘのポリウレタンフィラメントを約２倍に伸長した状態で、ほぼ５ｍｍの間隔を置いて並列に並べ、基材２１に接着剤により接合して設けることができる。
基材２１は、例えば、不織布（例えば、ＰＰ製ＳＭＳ不織布（例えば、目付量１３ｇ／ｍ2））を用いることができる。
基材２１には、あらかじめ嵩高部材２２として、ポリウレタンフォーム（例えば、厚さ３ｍｍ、幅２５ｍｍのテープ状の軟質ポリウレタンフォーム（例えば、ポリエーテル系のポリマーを２０倍に発泡したもの））が応力を加えない状態で接着剤により接合しておき、その後、上述したように、弾性糸２０を接合することができる。
【００３４】
吸収体物品１００においては、左右一対のＦＬＧ１４の垂下部１８は、中央部に連結部のない左右に連続した一枚の不織布により構成されている。
前記不織布は、左右一対の頭部１６から吸収体１２に向かってハンモック状に垂れ下がって、その内面側に左右側面と、中央部付近が底面となる体液受容キャナルＣａが形成されている。
【００３５】
吸収体物品１００においては、体液受容キャナルＣａの底面を構成する垂下部１８の下面の一部と吸収体１２の表面とが底面結合部３０において結合している。底面結合部３０は、左右方向の中央部において、前後方向に、前身頃Ｆから股下部Ｃを経て後身頃Ｒまで延在している。
このように、本発明においては、体液受容キャナルの底面の下側の一部と吸収体の表面とが結合しているのが好ましい。これにより、体液受容キャナルの形状が安定的に存在することができる。
【００３６】
吸収体物品１００においては、排出された体液は、体液受容キャナルＣａにより全量が受容され、一時的に貯留された後、垂下部１８を構成する不織布が全面的に液透過性を有しているので、体液受容キャナルＣａ内を前後に移動しつつ、体液受容キャナルＣａ内から吸収体１２の表面に供給される。
なお、本発明においては、体液受容キャナルを有する態様の場合、体液受容キャナルが液不透過性の材料により構成されているときは、体液受容キャナルから吸収体への体液の移行が可能となるように、体液受容キャナルを形成する不織布にスリット、開口等を設けることができる。
【００３７】
防漏体１０上においては、吸収体１２の左右両側に弾性糸が配置され、サーフェスシート１３により被覆されることにより固定され、アウターレッグギャザー（ＯＬＧ）３２を構成している。
弾性糸としては、例えば、３本のポリウレタンフィラメントを用いることができる。この弾性糸は、これを上下から挟んで固定する防漏体１０及びサーフェスシート１３とともに、左右方向における左右一対のＦＬＧが存在する位置よりも外側に、更に、左右一対のＯＬＧを構成する。
本発明においては、ＯＬＧは、この構成に限定されず、例えば、従来公知の吸収体物品に用いられるＯＬＧの構成を用いることができる。
【００３８】
防漏体１０の後端付近の左右両側には、着脱部材３４が設けられている。防漏体１０の前端付近の下面には、着脱部材と互いに着脱自在となるように、着脱部材（図示せず）が設けられている。これらの着脱部材は、例えば、各種面ファスナーにより構成することができる。
【００３９】
吸収体物品１００においては、着用時に、ＦＬＧ１４の頭部１６が着用者の肌に接触し、かつ、着用者の肌と吸収体１２とが離間した状態を保持する。
具体的には、頭部の備える伸縮性とクッション効果とにより、頭部が着用者の肌に対する密着状態を常に保持することができる。それにより、排出器からの体液の受容を確実に行うことができる。また、着用者の体位が変わっても、着用者が動いても、頭部と着用者の肌との間に隙間が発生することが抑制されるので、体液の伝い漏れが効果的に防止される。さらに、着用状態では、頭部が着用者の肌に圧着される状態になるため、両者間の接触面積が大きくなり、頭部の位置ずれが起こりにくい。
また、頭部の備える厚さによるスペース効果により、着用者の肌と吸収体の表面との離間距離を確保することができる。それにより、垂下部のへたりや変形を抑制し、垂下部が形成する通路内における体液の移動や拡散が円滑に行われる。また、たとえ吸収体物品に着用者の体重がかかる加圧状態になっても、頭部と垂下部の存在が物理的障壁となって、着用者の肌と体液で湿潤した吸収体の表面との接触を回避することができるため、着用者の肌が体液で濡れることが抑制される。
【００４０】
図２は、本発明の吸収体物品１００における頭部１６の模式的な横端面図である。図２においては、図１（Ｂ）よりも詳細にその構造が示されている。
図２に示される頭部１６は、３本の弾性糸２０と、嵩高部材２２と、それらを被覆する基材２１とにより構成される。
頭部１６の製造方法は、特に限定されないが、例えば、以下の方法を用いることができる。以下、弾性糸２０として、ポリウレタンフィラメントを、嵩高部材２２として、ポリウレタンフォームを、基材２１として、ＳＭＳ不織布を用いた例を用いる。
まず、基材２１として用いられるＳＭＳ不織布上の２箇所にホットメルト接着剤２３を帯状に塗布し、３本のポリウレタンフィラメントとポリウレタンフォームとをそれぞれ並列させて配置する。この際、ポリウレタンフィラメント側にはＳＭＳ不織布を余らせて配置する。ついで、ポリウレタンフォーム上にさらにホットメルト接着剤２３’を塗布し、そのポリウレタンフォーム上に３本のポリウレタンフィラメントが重なるようにＳＭＳ不織布を折り返し、重ねて圧着する。ここまでの工程は、ポリウレタンフィラメントに応力を加えて伸張させた状態で行うのが好ましい。さらに、その状態で、ＳＭＳ不織布のポリウレタンフィラメント側に余らせた部分を、ポリウレタンフォームの側の部分と、ホットメルト接着剤２３”により、接合させる。
【００４１】
このようにして得られる頭部１６は、弛緩状態では、伸張されて結合されたポリウレタンフィラメントの収縮力により、ポリウレタンフォームにも襞（褶曲構造）が発生し、膨化する。
【００４２】
本発明者が実際に上記の方法で頭部を作製したところ、無加重状態での厚さは、股下部で７．２ｍｍであった（３回測定した平均値）。
なお、比較のため、ポリウレタンフォームを用いない以外は、上記と同様の方法により、頭部を作製したところ、無加重状態での厚さは、１．８ｍｍであった（３回測定した平均値）。また、市販品の吸収体物品を４種類用意し、インナーレッグギャザー（ＩＬＧ、スタンディングレッグギャザー（ＳＬＧ）とも呼ばれる。）の伸縮部の無加重状態での厚さを測定したところ、いずれも１．０〜２．５ｍｍの範囲にあった（３回測定した平均値）。
【００４３】
頭部を着用者の肌に常時接触させるためには、着用者の動きに追従する伸縮性と、体位変化の際にも隙間を発生させないクッション性とが必要である。また、着用者の肌と吸収体との離間状態を維持するためには、頭部が十分な厚さを持つことが必要である。このような頭部のクッション性と厚さとは、体液の排出器が存在する股下部（クロッチ部）において、特に必要となる。
【００４４】
本発明の吸収体物品においては、着用時でない弛緩状態におかれた場合に、頭部の少なくとも一部が４ｍｍ以上の厚さを有するように構成されているのが好ましい。これにより、着用時において、ＦＬＧの頭部が着用者の肌により安定的に密着し、かつ、着用者の肌と吸収体の表面とを離間した状態をより安定的に保持することができる。
【００４５】
図３〜図１０は、種々のＦＬＧを示す模式図である。図３（Ａ）、図４（Ａ）、図５（Ａ）、図６（Ａ）、図７（Ａ）、図８（Ａ）、図９（Ａ）及び図１０（Ａ）は、それぞれ応力を加えない場合の（弛緩状態の）股下部における横端面図であり、図３（Ｂ）、図４（Ｂ）、図５（Ｂ）、図６（Ｂ）、図７（Ｂ）、図８（Ｂ）、図９（Ｂ）及び図１０（Ｂ）は、それぞれ前後方向及び左右方向に引っ張って展開し、ほぼ平面状にした状態の展開平面図である。
【００４６】
図３に示されるＦＬＧ１４ａは、伸縮性を有する頭部１６ａと頭部１６ａに連なる垂下部１８ａとを有し、頭部１６ａは、伸縮体２４ａと基材２１ａとを有している。
伸縮体２４ａは、前後方向に配置される弾性糸２０ａとして３本の６００ｄｔｅｘのポリウレタンフィラメントを並列に並べて５ｍｍ間隔で配置した頭部１６ａを有する。３本の弾性糸２０ａは基材２１ａとなる不織布（ＰＥ／ＰＰスパンボンド不織布、目付量１５ｇ／ｍ2）によって被覆されて左右一対の垂下部１６ａの上縁に配置されている。弾性糸２０ａは、図３（Ｂ）に示されるように、左右両縁に、前後両端を除いて、前身頃Ｆから股下部Ｃを経て後身頃Ｒまでにわたってほぼ吸収体物品本体（図示せず）の全長に配置されている。
頭部１６ａにおいては、クッション性を有する嵩高部材２２ａとして、ポリウレタンフォーム（厚さ４ｍｍ、幅１５ｍｍのポリエーテル系の軟質発泡体シート）が弾性糸２０ａの上に重ねられて配置されている。嵩高部材２２ａは、股下部Ｃ近傍にのみ重ねられている。
【００４７】
図３に示されるＦＬＧ１４ａは、左右一対の頭部１６ａから垂下する垂下部１８ａが、基材２１ａを構成する不織布により構成され、互いに対向する状態で、その下端部が吸収体１２ａの表面に、垂下部固定部３１により結合している。垂下部固定部３１は、股下部Ｃの前後方向の中央付近に、対向するように、前後方向に延在する短い帯状で設けられている。
ＦＬＧ１４ａは、左右一対の垂下部１８ａと吸収体１２ａの表面とで、体液受容キャナルを形成している。
【００４８】
図４に示されるＦＬＧ１４ｂは、基本的に、ＦＬＧ１４ａと同様であるが、頭部における嵩高部材の配置される領域、並びに、垂下部の構成及び吸収体の表面との結合態様が異なる。
ＦＬＧ１４ｂは、伸縮性を有する頭部１６ｂと頭部１６ｂに連なる垂下部１８ｂとを有し、頭部１６ｂは、伸縮体２４ｂと基材２１ｂとを有している。
頭部１６ｂにおいては、嵩高部材２２ｂは弾性糸２０ａの存在する全領域に重なって存在している。
ＦＬＧ１４ｂは、左右一対の頭部１６ｂから垂下する垂下部１８ｂが互いに対向する状態で、その下端部が連結シート３６と接合部３８において結合し、連結シート３６の下面と吸収体１２ａの表面とが底面結合部３０ａにおいて結合している。
連結シート３６は、股下部Ｃを含む領域に存在している。底面結合部３０ａは、連結シート３６の左右方向の中央において、帯状に前後方向に延在している。
ＦＬＧ１４ｂは、左右一対の垂下部１８ｂと連結シート３６とで、体液受容キャナルを形成している。
【００４９】
図５に示されるＦＬＧ１４ｃは、基本的に、ＦＬＧ１４ｂと同様であるが、垂下部の構成及び吸収体の表面との結合態様が異なる。
ＦＬＧ１４ｃは、伸縮性を有する頭部１６ｂと頭部１６ｂに連なる垂下部１８ｃとを有し、頭部１６ｂは、伸縮体２４ｂと基材２１ｃとを有している。
ＦＬＧ１４ｃは、垂下部１８ｃが、中央部に連結部のない左右に連続した一枚の不織布により構成され、前記不織布が左右一対の頭部１６ｂから吸収体１２ａに向かってハンモック状に垂れ下がっている。この不織布は、基材２１ｃとして、頭部１６ｂの伸縮体２４ｂを被覆している。
不織布の下面と吸収体１２ａの表面とは、底面結合部３０ｂにおいて結合している。底面結合部３０ｂは、左右方向の中央において、前身頃Ｆから股下部Ｃを経て後身頃Ｒにまでわたって、帯状に前後方向に延在している。
ＦＬＧ１４ｃは、不織布の内面側に、体液受容キャナルを形成している。
【００５０】
このように、左右一対のＦＬＧの垂下部が、中央部に連結部のない左右に連続した一枚の不織布により構成され、不織布が左右一対の頭部から吸収体に向かってハンモック状に垂れ下がって、その内面側に左右側面と、中央部付近が底面となる体液受容キャナルが形成されており、体液受容キャナルが、着用者から排出された体液を受容し、前後方向に移動させ、吸収体に移行させる態様は、本発明の吸収体物品の好適な態様の一つである。
【００５１】
体液受容キャナルを形成するＦＬＧの構成は、これに限定されず、以下の態様も本発明の吸収体物品の好適な態様として挙げられる。
すなわち、左右一対のＦＬＧが、いずれも頭部が外側に、垂下部が内側に向くように配置され、左右一対のＦＬＧの垂下部の少なくとも一部が下端部付近で相互に連結され、垂下部の内面側に、左右側面と、連結された左右方向の中央部付近が底面となる、体液受容キャナルが形成されており、体液受容キャナルが、着用者から排出された体液を受容し、前後方向に移動させ、吸収体に移行させる態様、及び、左右一対のＦＬＧの頭部が左右方向の中央部近傍で互いに対向するように配置され、左右一対のＦＬＧの垂下部の少なくとも一部が下端部付近で相互に連結され、垂下部の内面側に、左右側面と、連結された左右方向の中央部付近が底面となる、体液受容キャナルが形成されており、体液受容キャナルが、着用者から排出された体液を受容し、前後方向に移動させ、吸収体に移行させる態様である。これらの態様においては、ＦＬＧの垂下部の連結は、直接連結されていてもよく、図４に示されるＦＬＧ１４ｂのように、連結シート等により間接的に連結されていてもよい。
【００５２】
図３〜図５に示される各ＦＬＧにおいては、弾性糸が収縮して長さが短くなり、それにより頭部に伸縮性が付与され、褶曲構造により厚さが膨化する。
本発明者は、図５に示されるＦＬＧ１４ｃについて、以下のようにして、頭部１６ｂの厚さを測定した。
弾性糸２０ａと嵩高部材２２ｂとが重なった部分を、前後方向の長さが約５０ｍｍとなるように切り取り、無加重の状態で、厚さ測定器（ＦＳ−６０ＤＳ、大栄科学精器社製）を用い、ＪＩＳ  Ｌ１０９６に従い、厚さを測定した。測定は３回行った。
測定の結果、厚さは、平均７．６ｍｍであった。なお、目視では、９．０ｍｍであった。
また、上記厚さ測定器を用い、荷重を掛けて同様の測定を行ったところ、２０ｇｆ／ｃｍ2荷重下では４．８ｍｍ、更に４０ｇｆ／ｃｍ2荷重下では３．６ｍｍとなった。
このように荷重を掛けることにより厚さが大きく変化することは、頭部１６ｂがクッション性に優れることを示している。
【００５３】
図６に示されるＦＬＧ１４ｄは、基本的に、ＦＬＧ１４ｃと同様であるが、嵩高部材の材料及び頭部における配置される領域が異なる。
ＦＬＧ１４ｄは、伸縮性を有する頭部１６ｃと頭部１６ｃに連なる垂下部１８ｃとを有し、頭部１６ｃは、伸縮体２４ｃと基材２１ｃとを有している。
頭部１６ｃにおいては、クッション性を有する嵩高部材２２ｃとして、シリコーンゴムシート（厚さ２ｍｍ、幅２０ｍｍ）が弾性糸２０ａの上に重ねられて配置されている。嵩高部材２２ｃは、股下部Ｃ近傍にのみ重ねられている。
ＦＬＧ１４ｄの頭部１６ｃについて、上記と同様の方法により、無加重の状態で、厚さを測定したところ、６．８ｍｍであった（３回測定した平均値）。
【００５４】
図７に示されるＦＬＧ１４ｅは、基本的に、ＦＬＧ１４ｃと同様であるが、嵩高部材の材料、頭部における配置される領域及び垂下部の被覆の有無が異なる。
ＦＬＧ１４ｅは、伸縮性を有する頭部１６ｄと頭部１６ｄに連なる垂下部１８ｃとを有し、頭部１６ｄは、伸縮体２４ｄと基材２１ｃとを有している。
頭部１６ｄにおいては、クッション性を有する嵩高部材２２ｄとして、ＰＰフォームシート（厚さ３ｍｍ、幅８０ｍｍ）が、基材２１ｃを介して、弾性糸２０ａの上下を被覆するように重ねられて配置されている。嵩高部材２２ｄは、股下部Ｃ近傍にのみ重ねられている。
垂下部１８ｃを構成する不織布は、頭部１６ｄにおいては、基材２１ｃとして、弾性糸２０ａを被覆している。
嵩高部材２２ｄは、垂下部１８ｃを構成する不織布の外側（中央部を除く。）を被覆し、嵩高部材２２ｄと不織布とは接着剤で結合し、両者が一体として動くようになっている。
このように、弾性糸が、前身頃から股下部を経て後身頃にわたる範囲に存在し、かつ、嵩高部材が、股下部近傍に存在し、嵩高部材が、弾性糸の上側を被覆し、かつ、体液受容キャナルの左右側面の外側を被覆するように配置されているのは、本発明の好適な態様の一つである。
また、嵩高部材２２ｄは、垂下部１８ｃを構成する不織布の中央部を除いた外側を被覆していたが、中央部も含めて外側を被覆するのも好ましい。すなわち、弾性糸が、前身頃から股下部を経て後身頃にわたる範囲に存在し、かつ、嵩高部材が、股下部近傍に存在し、嵩高部材が、弾性糸の上側を被覆し、かつ、体液受容キャナルの左右側面の一方の外側から底面の下側を経て他方の外側までを被覆するように配置されているのは、本発明の好適な態様の一つである。
ＦＬＧ１４ｅの頭部１６ｄについて、上記と同様の方法により、無加重の状態で、厚さを測定したところ、６．０ｍｍであった（３回測定した平均値）。
【００５５】
ＦＬＧ１４ｅは、（ｉ）頭部１６ｄが嵩高であるため、優れたクッション性を有し、頭部１６ｄと股下部Ｃにおける着用者の肌との密着性に優れるのみならず、垂下部１８ｃも不織布により被覆されてクッション効果を奏するため、着用時の密着性及び着用者の肌と吸収体の表面との離間状態を安定的に維持する機能をより効果的に奏する。また、ＦＬＧ１４ｅは、（ｉｉ）股下部Ｃにおける体液受容キャナルを形成する不織布を外側から補強して、着用時の体位の変化等によって生じるキャナルのへたりや変形を少なくし、図７（Ａ）に示されるようなＶ字型又はＵ字型の立体形状を常時保つことができ、ひいては体液の受容と移動を安定に行う機能を確保することができる。さらに、ＦＬＧ１４ｅは、（ｉｉｉ）ＰＰフォームシートが、特別の処理を施さない限り疎水性であり、液不透過性であるため、ＰＰフォームシートで股下部Ｃにおける体液受容キャナルを形成する不織布を外側から被覆することによって、親水性の不織布を使用した場合でも、股下部Ｃから体液受容キャナルの外への体液の移動を防止することができる。
【００５６】
図８に示されるＦＬＧ１４ｆは、基本的に、ＦＬＧ１４ｅと同様であるが、嵩高部材による垂下部の被覆の位置が異なる。
ＦＬＧ１４ｆは、伸縮性を有する頭部１６ｅと頭部１６ｅに連なる垂下部１８ｃとを有し、頭部１６ｅは、伸縮体２４ｅと基材２１ｃとを有している。
頭部１６ｅにおいては、クッション性を有する嵩高部材２２ｅとして、親水化処理（例えば、表面活性剤処理）を施されたＰＰフォームシート（厚さ３ｍｍ、幅８０ｍｍ）が、基材２１ｃを介して、弾性糸２０ａの上下を被覆するように重ねられて配置されている。嵩高部材２２ｅは、股下部Ｃ近傍にのみ重ねられている。
嵩高部材２２ｅは、垂下部１８ｃを構成する不織布の内側を被覆し、嵩高部材２２ｅと不織布とは接着剤で結合し、両者が一体として動くようになっている。
このように、弾性糸が、前身頃から股下部を経て後身頃にわたる範囲に存在し、かつ、嵩高部材が、股下部近傍に存在し、嵩高部材が、弾性糸の上側を被覆し、かつ、体液受容キャナルの左右側面の内側を被覆するように配置されているのは、本発明の好適な態様の一つである。中でも、図８に示される嵩高部材２２ｅのように、嵩高部材が、弾性糸の上側を被覆し、かつ、体液受容キャナルの左右側面の一方の内側から底面の上側を経て他方の内側までを被覆するように配置されている態様は、好ましい。
【００５７】
ＦＬＧ１４ｆは、（ｉ）頭部１６ｅが嵩高であるため、優れたクッション性を有し、頭部１６ｄと股下部Ｃにおける着用者の肌との密着性に優れるのみならず、垂下部１８ｃも不織布により被覆されてクッション効果を奏するため、着用時の密着性及び着用者の肌と吸収体の表面との離間状態を安定的に維持する機能をより効果的に奏する。また、ＦＬＧ１４ｆは、（ｉｉ）股下部Ｃにおける体液受容キャナルを形成する不織布を内側から補強して、着用時の体位の変化等によって生じるキャナルのへたりや変形を少なくし、図８（Ａ）に示されるようなＶ字型又はＵ字型の立体形状を常時保つことができ、ひいては体液の受容と移動を安定に行う機能を確保することができる。さらに、ＦＬＧ１４ｆは、（ｉｉｉ）ＰＰフォームシートが、親水化処理を施されているため、垂下部１８ｃに疎水性の不織布を用いた場合であっても、体液受容キャナルの内面が親水性となり、股下部からその前後への体液の移動を均一に、かつ、円滑に行うことができる。
【００５８】
図９に示されるＦＬＧ１４ｇは、基本的に、ＦＬＧ１４ｆと同様であるが、頭部と垂下部との位置関係、及び、頭部における弾性糸と嵩高部材との位置関係が異なる。
ＦＬＧ１４ｇは、伸縮性を有する頭部１６ｆと頭部１６ｆに連なる垂下部１８ｄとを有し、頭部１６ｆは、伸縮体２４ｆと基材２１ｄとを有している。垂下部１８ｄは、頭部１６ｆの外縁付近から垂下しており、ＦＬＧ１４ｆにおいて、垂下部１８ｃが頭部１６ｅの左右方向の内縁付近から垂下しているのと異なる。
頭部１６ｆにおいては、嵩高部材２２ｆが基材２１ｄを介して弾性糸２０ａの下に重ねられて配置されている。嵩高部材２２ｆは、股下部Ｃ近傍にのみ重ねられている。
垂下部１８ｄを構成する不織布は、頭部１６ｆにおいては、基材２１ｄとして、弾性糸２０ａを被覆している。
このように、弾性糸が、前身頃から股下部を経て後身頃にわたる範囲に存在し、かつ、嵩高部材が、股下部近傍に存在し、嵩高部材が、弾性糸の下側を被覆し、かつ、体液受容キャナルの左右側面の一方の内側から底面の上側を経て他方の内側までを被覆するように配置されているのは、本発明の好ましい態様の一つである。
ＦＬＧ１４ｇは、ＦＬＧ１４ｆと同様に、頭部が膨化する効果、体液受容キャナルを補強する効果、及び、立体形状を保つ効果を奏する。また、ＦＬＧ１４ｇは、ＦＬＧ１４ｆよりも、製造工程が簡易であるという利点がある。
【００５９】
図１０に示されるＦＬＧ１４ｈは、基本的に、ＦＬＧ１４ｆと同様であるが、嵩高部材の材料が異なる。
ＦＬＧ１４ｈは、伸縮性を有する頭部１６ｇと頭部１６ｇに連なる垂下部１８ｃとを有し、頭部１６ｇは、伸縮体２４ｇと基材２１ｃとを有している。
ＦＬＧ１４ｈにおいては、嵩高部材２２ｇとして、嵩高不織布（ＰＥ／ＰＥＴ複合繊維からなるカードウェブを２ｍｍ間隔でＷＪ処理した畝状の表面形状を持つスパンレース不織布、目付量４０ｇ／ｍ2、無加重状態での厚さ１．２ｍｍ、無加重状態での見掛け比重０．０７）を用いている。
ＦＬＧ１４ｈは、頭部１６ｇの表面がよりソフトで肌にやさしいという利点がある。
【００６０】
図１１は、本発明の吸収体物品の実施態様の他の例を示す模式図である。図１１（Ａ）は、吸収体物品に応力を加えて前後方向及び左右方向に引っ張って展開し、ほぼ平面状にした状態（緊張状態）を模式的に示した展開平面図である。図１１（Ｂ）は、緊張状態の図１１（Ａ）中のＸＩＢ−ＸＩＢ線に沿った横端面図である。
図１１に示される吸収体物品１０１は、基本的に、図１に示される吸収体物品１００と同様であるが、ＦＬＧの頭部及び垂下部の構造及び配置が異なる。
ＦＬＧ１４ｉは、伸縮性を有する頭部１６ｈと頭部１６ｈに連なる垂下部１８ｅとを有し、頭部１６ｈは、伸縮体２４ｈと基材２１ｅとを有している。
頭部１６ｈにおいては、嵩高部材２２ｈが基材２１ｅを介して弾性糸２０ｂの下に重ねられて配置されている。弾性糸２０ｂは、４本のポリウレタンフィラメントを、ほぼ５ｍｍの間隔を置いて並列に並べている。嵩高部材２２ｈは、股下部Ｃの後身頃Ｒよりの部分にのみ重ねられている。より具体的には、嵩高部材２２ｈは左右縁部で内側に折り返されており、その折り返された部分の上面と、基材２１ｅで被覆された弾性糸２０ｂの下面とが接合されている。基材２１ｅに被覆された弾性糸２０ｂの先端は、嵩高部材２２ｈよりも、内側に突出するように設けられている。
嵩高部材２２ｈは、垂下部１８ｅを構成する不織布の内側を被覆し、嵩高部材２２ｈと不織布とはホットメルト接着剤で結合し、両者が一体として動くようになっている。
頭部１８ｅは、弛緩状態では膨化して優れたクッション効果を奏する。また、頭部１８ｅにおける基材２１ｅに被覆された弾性糸２０ｂの先端は、優れた伸縮性を奏し、着用者の肌に隙間なく密着することができる。
ＦＬＧ１４ｉの頭部１６ｈについて、上記と同様の方法により、無加重の状態で、厚さを測定したところ、弾性糸２０ｂと嵩高部材２２ｈとが重なった部分では、７．４ｍｍ、頭部１６ｈの先端にある基材２１ｅに被覆された弾性糸２０ｂのみが存在する部分では、２．８ｍｍであった（いずれも３回測定した平均値）。
【００６１】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【００６２】
本発明の吸収体物品は、紙おむつ（子供用及び大人用）、失禁用品、トレーニングパンツ、女性用生理用品等に好適に用いられる。
【図１】
2015100615.tif 000003
【図２】
2015100615.tif 000004
【図３】
2015100615.tif 000005
【図４】
2015100615.tif 000006
【図５】
2015100615.tif 000007
【図６】
2015100615.tif 000008
【図７】
2015100615.tif 000009
【図８】
2015100615.tif 000010
【図９】
2015100615.tif 000011
【図１０】
2015100615.tif 000012
【図１１】
2015100615.tif 000013